(57)【要約】      （修正有）【課題】キャップを座掘り凹部内に収めて補修痕に凹凸がなく平らになるようにした外壁タイル下穴の補修ピンを提供する。【解決手段】外壁タイル１２の剥落防止のために下穴１３を穿設してアンカー１４を打ち込み、アンカーの端部の座掘り凹部１５にピン２６とキャップ２７を嵌合して補修するようにした外壁タイル下穴の補修ピンにおいて、アンカーの開口端に圧入したピンの基端部に球状突起２９を突設し、キャップの内側に、球状突起と回転自在に係合する係合凹部２８を設ける。【選択図】図２
0003219727.tif 000002
【実用新案登録請求の範囲】
【請求項１】
外壁タイル１２の剥落防止のために下穴１３を穿設してアンカー１４を打ち込み、このアンカー１４の端部の座掘り凹部１５にピン２６とキャップ２７を嵌合して補修するようにした外壁タイル下穴の補修ピンにおいて、
前記アンカー１４の開口端に圧入した前記ピン２６の基端部に球状突起２９を突設し、前記キャップ２７の内側に、前記球状突起２９と回転自在に係合する係合凹部２８を設けてなることを特徴とする外壁タイル下穴の補修ピン。
【請求項２】
前記ピン２６の基端部に、全周に外周側が低くなるテーパーを有する膨出部３３を設け、この膨出部３３の先端に前記球状突起２９を設けたことを特徴とする請求項１記載の外壁タイル下穴の補修ピン。
【請求項３】
前記キャップ２７の係合凹部２８は、可及的に短い係合突起部３１に形成したことを特徴とする請求項１又は２記載の外壁タイル下穴の補修ピン。
【請求項４】
前記係合突起部３１の球状突起２９側の端面３４は、全周に外周側が低くなるテーパーを形成したことを特徴とする請求項３記載の外壁タイル下穴の補修ピン。
【考案の詳細な説明】
【技術分野】
【０００１】
本考案は、外壁タイルの補修工事において、アンカーピンを挿入した下穴痕に嵌め込んで補修するための外壁タイル下穴の補修ピンに関するものである。
【背景技術】
【０００２】
従来から外壁タイルの補修工事において、アンカーピンを挿入した下穴痕に嵌め込んで補修する補修ピンには、図４に示すようなものが知られている（特許文献１）。
図５において、コンクリート層１０の表面に、モルタル層１１によって外壁タイル１２を貼り付けた外壁において、コンクリート層１０とモルタル層１１の間やモルタル層１１と外壁タイル１２の間に隙間２４が生じて外壁タイル１２が剥落する恐れがあるような場合、外壁タイル１２側からモルタル層１１を通してコンクリート層１０に下穴１３を穿設し、かつ、外壁タイル１２の表面に座掘り凹部１５を穿設し、前記下穴１３にアンカー１４を差し込み、このアンカー１４の鍔２５が座掘り凹部１５に係止するまで圧入する。
このとき、座掘り凹部１５の下穴痕を補修するために、座掘り凹部１５の下穴痕に接着剤２３を注入してキャップ１６の付いた円柱状のピン１７をアンカー１４に差し込む。前記ピン１７は、図４に示すように、一端部にすり鉢状のガイド凹部２１の奥に球形の軸受け孔２０が形成され、また、前記キャップ１６は、前記座掘り凹部１５に嵌合するような円盤状をなし、内側の中心に連結軸１９を突出した先端に球形の球形軸体１８が形成されている。
【０００３】
しかるに、図５に示すように、座掘り凹部１５は、下穴１３の軸心Ｘの中心位置Ｏを支点として穿設される。ところが、下穴１３が外壁タイル１２の壁面に直交する線Ｙに対して角度をもって穿孔された様な場合でも、キャップ１６の球形軸体１８がピン１７の軸受け孔２０で回動するので、キャップ１６が外壁タイル１２と同一面になるというものである。
【先行技術文献】
【特許文献】
【０００４】
【特許文献１】登録実用新案第３０３８１１３号公報
【考案の開示】
【考案が解決しようとする課題】
【０００５】
一般に、外壁タイル１２に座掘り凹部１５を穿孔する場合には、下穴１３の軸心Ｘの中心点Ｏを支点として座掘り凹部１５を穿孔する。そのため、特許文献１に示すものは、図５に示すように、下穴１３の軸心Ｘが外壁タイル１２の壁面に直交せずに角度を持っている場合には、キャップ１６の内側の連結軸１９が長いので、外壁タイル１２の表面と内部の軸受け孔２０の中心線Ｙとの間に位置ずれが生じる。キャップ１６を２点鎖線のように軸線Ｘに一致させれば、キャップ１６は、座掘り凹部１５内に収まるが、キャップ１６は、外壁タイル１２の壁面と平らにならずに傾いてしまい、補修痕に凹凸ができてしまう。キャップ１６を外壁タイル１２の壁面と平らにしようとすると、実線で示すように、座掘り凹部１５からはみ出してしまい、これも補修痕に凹凸ができてしまうという問題があった。
【０００６】
本考案は、下穴１３の軸心Ｘが外壁タイル１２の壁面に直交せずに角度を持って穿設されていてもキャップ１６を座掘り凹部１５内に収めて補修痕に凹凸がなく平らになるようにした外壁タイル下穴の補修ピンを提供しようとするものである。
【課題を解決するための手段】
【０００７】
本考案の請求項１記載の発明は、
外壁タイル１２の剥落防止のために下穴１３を穿設してアンカー１４を打ち込み、このアンカー１４の端部の座掘り凹部１５にピン２６とキャップ２７を嵌合して補修するようにした外壁タイル下穴の補修ピンにおいて、
前記アンカー１４の開口端に圧入した前記ピン２６の基端部に球状突起２９を突設し、前記キャップ２７の内側に、前記球状突起２９と回転自在に係合する係合凹部２８を設けてなることを特徴とする。
【０００８】
本考案の請求項２記載の発明は、
前記ピン２６の基端部に、全周に外周側が低くなるテーパーを有する膨出部３３を設け、この膨出部３３の先端に前記球状突起２９を設けたことを特徴とする。
【０００９】
本考案の請求項３記載の発明は、
前記キャップ２７の係合凹部２８は、可及的に短い係合突起部３１に形成したことを特徴とする。
【００１０】
本考案の請求項４記載の発明は、
前記係合突起部３１の球状突起２９側の端面３４は、全周に外周側が低くなるテーパーを形成したことを特徴とする。
【考案の効果】
【００１１】
請求項１記載の考案によれば、
外壁タイル１２の剥落防止のために下穴１３を穿設してアンカー１４を打ち込み、このアンカー１４の端部の座掘り凹部１５にピン２６とキャップ２７を嵌合して補修するようにした外壁タイル下穴の補修ピンにおいて、
前記アンカー１４の開口端に圧入した前記ピン２６の基端部に球状突起２９を突設し、前記キャップ２７の内側に、前記球状突起２９と回転自在に係合する係合凹部２８を設けてなるので、アンカー１４が傾斜して打ち込まれてもピン２６に係合するキャップ２７は、外壁タイル１２の表面に平に挿入でき、外壁タイル１２の表面をきれいに補修することができる。
【００１２】
請求項２記載の考案によれば、
前記ピン２６の基端部に、全周に外周側が低くなるテーパーを有する膨出部３３を設け、この膨出部３３の先端に前記球状突起２９を設けたので、キャップ２７の回動角度を大きく傾けることができる。
【００１３】
請求項３記載の考案によれば、
前記キャップ２７の係合凹部２８は、可及的に短い係合突起部３１に形成したので、キャップ２７の回動角度をさらに大きく傾けることができる。
【００１４】
請求項４記載の考案によれば
前記係合突起部３１の球状突起２９側の端面３４は、全周に外周側が低くなるテーパーを形成したので、キャップ２７の回動角度をさらに大きく傾けても外壁タイル１２の表面と平らに装着することができる。
【図面の簡単な説明】
【００１５】
【図１】本考案による外壁タイル下穴の補修ピンを説明するための一部切り欠いた正面図である。
【図２】本考案による外壁タイル下穴の補修ピンをアンカーに取り付けた状態の断面図である。
【図３】本考案による外壁タイル下穴の補修ピンの他の実施例を示す一部の正面図である。
【図４】従来のピンとキャップの正面図である。
【図５】従来のピンとキャップをアンカーに取り付けた状態の断面図である。
【考案を実施するための形態】
【００１６】
本発明による外壁タイル下穴の補修ピンは、
外壁タイル１２の剥落防止のために下穴１３を穿設してアンカー１４を打ち込み、このアンカー１４の端部の座掘り凹部１５にピン２６とキャップ２７を嵌合して補修するようにした外壁タイル下穴の補修ピンにおいて、
前記アンカー１４の開口端に圧入した前記ピン２６の基端部に球状突起２９を突設し、前記キャップ２７の内側に、前記球状突起２９と回転自在に係合する係合凹部２８を設けてなる。
【００１７】
前記ピン２６の基端部に、全周に外周側が低くなるテーパーを有する膨出部３３を設け、この膨出部３３の先端に前記球状突起２９を設ける。
【００１８】
前記キャップ２７の係合凹部２８は、可及的に短い係合突起部３１に形成する。
【００１９】
前記係合突起部３１の球状突起２９側の端面３４は、全周に外周側が低くなるテーパーを形成する。
【実施例１】
【００２０】
本考案による外壁タイル下穴の補修ピンの実施例１を図面に基づき説明する。
図１において、本考案は、プラスチック、金属などからなるピン２６と、前記ピン２６に嵌合するキャップ２７とからなる。前記ピン２６は、円柱状をなし、外周に平目ローレット３２が形成され、先端部から途中まで切り割溝３０が切り欠かれ、また、基端部には、約３０度に傾斜した膨出部３３が形成され、この膨出部３３の端部に球状突起２９が一体に設けられている。
【００２１】
前記キャップ２７は、金属、プラスチックなどから円盤状に形成され、このキャップ２７の裏面には、係合突起部３１が設けられ、この係合突起部３１に、前記球状突起２９が回動自在に係合する係合凹部２８が形成されている。前記係合突起部３１の係合凹部２８は、この係合凹部２８の中心点からキャップ２７の外表面までの距離ｄができるだけ短くなるように形成される。前記係合凹部２８に球状突起２９が嵌合したとき、前記キャップ２７が２０〜３０度程度傾けることができるように回動可能で、その回動可能な範囲内で前記係合凹部２８が前記キャップ２７に一部食い込むように前記係合突起部３１の距離ｄをより短くすることが望ましい。
【００２２】
以上のように構成されたピン２６とキャップ２７を用いて座掘り凹部１５の下穴痕を補修する例を図２に基づき説明する。
図２において、外壁タイル１２、モルタル層１１、コンクリート層１０に下穴１３を穿設し、この下穴１３にアンカー１４を打ち込み、アンカー１４の鍔２５を座掘り凹部１５に係止するように圧入する。前記下穴１３が軸心Ｘのように傾いて穿設されているような場合、この傾いている下穴１３の外壁タイル１２の表面の軸心Ｏを中心として座掘り凹部１５が穿設されて、アンカー１４が打ち込まれ、鍔２５がこの座掘り凹部１５に係止する。前記下穴１３と座掘り凹部１５にレジンなどの接着剤を充填し、前記アンカー１４に、ピン２６の球状突起２９にキャップ２７の係合凹部２８を係合したまま挿入する。
ここで、キャップ２７の係合凹部２８は、表面からの距離ｄが可能な限り小さく設定されているので、アンカー１４が傾いて挿入されていても、キャップ２７の中心と座掘り凹部１５の中心点Ｏとの位置ずれが少なく、キャップ２７は、外壁タイル１２の表面と平らな状態で座掘り凹部１５内に嵌合する。
組み立て後、前記キャップ２７の表面は、外壁タイル１２と同様の塗料で着色する。前記キャップ２７の表面は、予め外壁タイル１２と同様の塗料で着色したものであってもよい。
【００２３】
前記実施例では、ピン２６の球状突起２９は、球状体としたが、図３に示すように、球状部分の一部が欠けているものでもよく、要するに、球状突起２９が係合凹部２８に係合して所定角度まで回動できればよい。
【符号の説明】
【００２４】
１０…コンクリート層、１１…モルタル層、１２…外壁タイル、１３…下穴、１４…アンカー、１５…座掘り凹部、１６…キャップ、１７…ピン、１８…球形軸体、１９…連結軸、２０…軸受け孔、２１…ガイド凹部、２２…切り割部、２３…接着剤、２４…隙間、２５…鍔、２６…ピン、２７…キャップ、２８…係合凹部、２９…球状突起、３０…切り割溝、３１…係合突起部、３２…平目ローレット、３３…膨出部、３４…端面。
【図１】
0003219727.tif 000003
【図２】
0003219727.tif 000004
【図３】
0003219727.tif 000005
【図４】
0003219727.tif 000006
【図５】
0003219727.tif 000007